(57)【要約】【課題】記録材に画像を形成する間に調整処理を行う場合でも解像度モードの切り替えを必要としない画像形成装置を提供する。【解決手段】第１解像度モードと、第１解像度モードより低い解像度の第２解像度モードを含む複数の解像度モードのいずれかで記録材に画像を形成する画像形成装置は、使用する解像度モードで像担持体に画像を形成する画像形成手段と、第１解像度モードで記録材に画像を形成する場合には第１フィルタを使用して画像データのフィルタ処理を行い画像形成手段に出力するフィルタ手段と、を備え、第１解像度モードで複数の記録材に画像を形成する間に、画像形成装置の調整処理を行う場合、フィルタ手段は、調整処理のためのテスト画像を示すテスト画像データを第１フィルタとは異なる第２フィルタでフィルタ処理を行い、画像形成手段は、第１解像度モードで像担持体にテスト画像を形成する。【選択図】図７
2018060068.tif 000002
【特許請求の範囲】
【請求項１】
第１解像度モードと、前記第１解像度モードより低い解像度の第２解像度モードを含む複数の解像度モードのいずれかの解像度モードで記録材に画像を形成する画像形成装置であって、
使用する解像度モードで像担持体に画像を形成する画像形成手段と、
前記第１解像度モードで記録材に画像を形成する場合には第１フィルタを使用して画像データのフィルタ処理を行い前記画像形成手段に出力するフィルタ手段と、
を備え、
前記第１解像度モードで複数の記録材に画像を形成する間に、前記画像形成装置の調整処理を行う場合、前記フィルタ手段は、前記調整処理のためのテスト画像を示すテスト画像データを前記第１フィルタとは異なる第２フィルタでフィルタ処理を行い、前記画像形成手段は、前記第１解像度モードで前記像担持体に前記テスト画像を形成することを特徴とする画像形成装置。
【請求項２】
前記第１フィルタによるフィルタ処理後の画素の画素値は、当該画素と副走査方向において隣接する画素のフィルタ処理前の画素値に依存し、
前記第２フィルタによるフィルタ処理後の画素の画素値は、当該画素と副走査方向において隣接する画素のフィルタ処理前の画素値に依存しないことを特徴とする請求項１に記載の画像形成装置。
【請求項３】
前記第２解像度モードで記録材に画像を形成する場合、前記フィルタ手段は、第３フィルタを使用して画像データのフィルタ処理を行うことを特徴とする請求項１又は２に記載の画像形成装置。
【請求項４】
前記第３フィルタによるフィルタ処理後の画素の画素値は、当該画素と副走査方向において隣接する画素のフィルタ処理前の画素値に依存しないことを特徴とする請求項３に記載の画像形成装置。
【請求項５】
前記第２フィルタと前記第３フィルタは同じであることを特徴とする請求項４に記載の画像形成装置。
【請求項６】
前記画像形成手段は、前記第１解像度モードで前記像担持体に画像を形成する場合、前記フィルタ処理後の画像データ又は前記フィルタ処理後のテスト画像データが示す画素の副走査方向の数を減らす間引き処理を行うことを特徴とする請求項１から５のいずれか１項に記載の画像形成装置。
【請求項７】
前記間引き処理は、前記フィルタ処理後の画像データ又は前記フィルタ処理後のテスト画像データが示す画素を副走査方向において１つおきに削除する処理であることを特徴とする請求項６に記載の画像形成装置。
【請求項８】
前記画像形成手段は、前記第２解像度モードで前記像担持体に画像を形成する場合、前記間引き処理を行わないことを特徴とする請求項６又は７に記載の画像形成装置。
【請求項９】
前記第１フィルタと前記第２フィルタは、フィルタ処理における係数が異なることを特徴とする請求項１から８のいずれか１項に記載の画像形成装置。
【発明の詳細な説明】
【技術分野】
【０００１】
本発明は、複数の解像度モードで画像を形成する画像形成装置に関する。
【背景技術】
【０００２】
画像形成装置において、形成可能な解像度より高い解像度の画像データを受けた場合、画像データの階調情報を半分にすることで、主走査方向の解像度を維持する方法がある。また、副走査方向に関しては、プロセス速度を半分にすることで２倍の密度で書き込み、これにより副走査方向でも高解像度を実現することができる。しかしながら、この手法ではプロセス速度を半分にするため、画像形成の生産性が低下する。このため、特許文献１は、奇数番目の走査線上の画素については間引きを行い、代わりに、間引く走査線上の画素の画像データについては、副走査方向の前後の画素の画像データに配分する、疑似高解像度印刷技術を開示している。
【先行技術文献】
【特許文献】
【０００３】
【特許文献１】特開２０１３−１２０１９５号公報
【発明の概要】
【発明が解決しようとする課題】
【０００４】
画像形成装置では形成する画像の画質を維持するため、所定タイミングで画像調整用のテスト画像を形成し、形成したテスト画像をセンサで読み取ることにより画像形成条件を調整する。この画像調整処理は、画像を形成していないときのみならず、複数の記録材に対して画像を形成している間に行う場合もある。しかしながら、特許文献１に記載の様に、高解像度モードでの画像形成のため、画像データを副走査方向に分散させる処理（以下、分散処理と呼ぶ）を行っていると、テスト画像についても分散処理が行われ、目的とするテスト画像が形成できなくなる。一方、高解像度モードで記録材への画像形成を行っている間に画像調整処理を行うために、一旦、通常解像度モードに切り替えを行うと、切り替えに伴う処理遅延が発生する。
【０００５】
本発明は、記録材に画像を形成する間に調整処理を行う場合でも解像度モードの切り替えを必要としない画像形成装置を提供するものである。
【課題を解決するための手段】
【０００６】
本発明の一側面によると、第１解像度モードと、前記第１解像度モードより低い解像度の第２解像度モードを含む複数の解像度モードのいずれかの解像度モードで記録材に画像を形成する画像形成装置は、使用する解像度モードで像担持体に画像を形成する画像形成手段と、前記第１解像度モードで記録材に画像を形成する場合には第１フィルタを使用して画像データのフィルタ処理を行い前記画像形成手段に出力するフィルタ手段と、を備え、前記第１解像度モードで複数の記録材に画像を形成する間に、前記画像形成装置の調整処理を行う場合、前記フィルタ手段は、前記調整処理のためのテスト画像を示すテスト画像データを前記第１フィルタとは異なる第２フィルタでフィルタ処理を行い、前記画像形成手段は、前記第１解像度モードで前記像担持体に前記テスト画像を形成することを特徴とする。
【発明の効果】
【０００７】
本発明によると、記録材に画像を形成する間に調整処理を行う場合でも解像度モードの切り替えを必要としない。
【図面の簡単な説明】
【０００８】
【図１】一実施形態による画像形成装置の構成図。
【図２】一実施形態による中央画像処理部の構成図。
【図３】通常解像度モードと高解像度モードの説明図。
【図４】高解像度モードで記録材に画像を形成する間に調整処理を行う場合のタイミング図。
【図５】一実施形態による画像形成処理のフローチャート。
【図６】一実施形態による解像度モード切替処理のフローチャート。
【図７】一実施形態によるフィルタ処理のフローチャート。
【図８】一実施形態によるフィルタを示す図。
【図９】一実施形態による高解像度モードで使用するフィルタによるフィルタ処理の説明図。
【図１０】一実施形態による通常解像度モードで使用するフィルタによるフィルタ処理の説明図。
【図１１】一実施形態による高解像度モードで記録材に画像を形成する間に調整処理を行う場合のタイミング図。
【発明を実施するための形態】
【０００９】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１０】
図１は、画像形成装置の構成図である。読取部１００の照明ランプ１０３は原稿１０２に光を照射する。照明ランプ１０３が照射した光は原稿１０２で反射される。原稿１０２からの反射光は、ミラー群１０４Ａ〜１０４Ｃ及びレンズ１０５を介してカラーセンサ１０６に結像する。これによりカラーセンサ１０６は、原稿１０２の画像を示す画像データを生成して中央画像処理部１３３に出力する。画像形成部１０１は、中央画像処理部１３３において画像処理された画像データに基づき記録材に画像形成を行う。なお、本実施形態の画像形成装置は、読取部１００で読み取った画像データ以外にも、外部インタフェースを介して、電話回線、ネットワークなどから取得した画像データに基づき画像形成を行うことができる。
【００１１】
続いて、画像形成部１０１の構成について説明する。なお、図中の参照符号の末尾のＹ、Ｍ、Ｃ及びＫは、参照符号が示す部材又は信号が形成に関わるトナーの色が、それぞれ、イエロー、シアン、マゼンタ及びブラックであることを示している。しかしながら、以下の説明においてトナーの色を区別する必要が無い場合には、末尾のアルファベットを除いた参照符号を使用する。感光体１０８は、像担持体であり、画像形成時、図中の矢印の方向に回転駆動される。帯電器１０９は、感光体１０８の表面を一様な電位に帯電させる。走査部１０７は、中央画像処理部１３３が取得した画像データに基づき感光体１０８を走査・露光し、感光体１０８に静電潜像を形成する。現像器１１０は、感光体１０８の静電潜像をトナーで現像してトナー像を形成する。一次転写装置１１２には、感光体１０８と中間転写ベルト１１１との間に電位差が形成されるように転写バイアスが印加される。これにより感光体１０８のトナー像が中間転写ベルト１１１に静電的に転写される。なお、各感光体１０８のトナー像を重ねて中間転写ベルト１１１に転写することでフルカラーのトナー像を中間転写ベルト１１１に形成することができる。
【００１２】
中間転写ベルト１１１は、駆動ローラ１１３及び従動ローラ１１４及び１１５により張架され、画像形成時、駆動ローラ１１３の回転により図中の矢印の方向に回転駆動される。これにより、中間転写ベルト１１１に転写されたトナー像は、二次転写装置１１６の対向位置へと搬送される。二次転写装置１１６は、転写バイアスを出力し、これにより、カセット１１８から搬送路を搬送されてきた記録材に中間転写ベルト１１１のトナー像を転写する。なお、クリーニング部１１７は、中間転写ベルト１１１から記録材に転写されず、中間転写ベルト１１１に残留したトナーを除去する。トナー像が転写された記録材は定着部１２４に搬送される。定着部１２４は、記録材を加熱・加圧し、これによりトナー像を記録材に定着させる。その後、記録材は、トレイ１１９に排出される。また、中間転写ベルト１１１の対向位置には、色ずれ補正及び濃度補正において、これら調整処理のためのテスト画像を検出するレジセンサ１２０及び濃度センサ１２１がそれぞれ設けられている。
【００１３】
図２は、中央画像処理部１３３のブロック図である。ＣＰＵ２００は、画像形成装置全体の制御部であり、ＲＯＭ２０１に格納されているプログラムを実行することで各種制御を行う。また、ＲＡＭ２０２は、ＣＰＵ２００が行う各種制御において一時的なデータを記憶するために使用される。読取部１００や外部インタフェース２０６は、形成する画像を示す画像データ２０７をＣＰＵ２００に出力する。ＰＷＭ回路２２０は、ＣＰＵ２００で処理された画像データに基づき、走査部１０７の光源を駆動するためのＰＷＭ信号２２１を生成して走査部１０７に出力する。操作パネル２１０は、ユーザに対する入出力インタフェース機能を提供する。
【００１４】
本実施形態の画像形成部１０１は、通常解像度モードと、通常解像度モードより解像度の高い高解像度モードを含む複数の解像度モードの中からユーザによって指定された解像度モードに基づいて画像形成を行う。ユーザは、例えば、操作パネル２１０を用いて解像度モードを選択してもよく、或いは、不図示のＰＣなどから外部インタフェースを介して解像度モードの指定情報を入力する構成としてもよい。ＣＰＵ２００は解像度モードに関するユーザの設定情報に基づいて、複数の解像度モードの中から設定情報に対応する解像度モードを選択する。以下では、６００ｄｐｉ（６００ｄｐｉ×６００ｄｐｉ）の画像を形成する通常解像度モードと、１２００ｄｐｉ（１２００ｄｐｉ×６００ｄｐｉ）の画像を形成する高解像度モードとを有する画像形成装置を例に説明する。なお、画像形成部１０１は、通常解像度モード及び高解像度モードを含む３つ以上の解像度モードのいずれかで画像形成を行うものであって良い。
【００１５】
図３は、通常解像度モードと高解像度モードのドット（画素）の違いの説明図である。画像データ２０７はドットごとの階調を示す。本実施形態では、一例として、通常解像度モードでは１つのドットの階調を表すために４ｂｉｔを割り当て、高解像度モードでは２ｂｉｔを割り当てる。このように、高解像度モードでの階調を示す階調情報を通常解像度の半分にすることにより、ＣＰＵ２００は、主走査方向において通常解像度モードの倍の密度でドットを形成することができる。また、ＣＰＵ２００が行う画像データ２０７に対する処理量は、解像度モードに応じて異なる。具体的には、高解像度モードでは通常解像度モードよりも画像データに対する処理量が多くなる。このため、ＣＰＵ２００は、高解像度モードにおいて、通常解像度モードより画像クロックを速くする。ここで、走査部１０７からのレーザ光が感光体１０８を走査する方向が主走査方向であり、感光体１０８が回転することで感光体１０８の表面が移動する方向が副走査方向である。なお、副走査方向は主走査方向に直交する方向でもある。
【００１６】
図４は、高解像度モードで記録材への画像形成を行っている間に、通常解像度モードで画像調整処理を行う場合のタイミング図である。図４において、参照符号２７０、２７１及び２７３は、高解像度モードで各感光体に画像を形成するために各走査部に出力されるＰＷＭ信号を示している。以下の説明において、参照符号２７０、２７１及び２７３で示されるＰＷＭ信号で形成される画像を、それぞれ、画像２７０、２７１及び２７３と表記する。一方、参照符号２７２は、画像調整処理で使用するテスト画像の形成のために各走査部に出力されるＰＷＭ信号を示している。なお、ＰＷＭ信号２２１Ｙ、２２１Ｍ、２２１Ｃ及び２２１Ｋそれぞれの出力タイミングが異なるのは、感光体１０８が中間転写ベルト１１１にトナー像を転写するタイミングが異なるからである。つまり、間隔２５０Ｍ、２５０Ｃ、及び２５０Ｋは、感光体１０８Ｙの中間転写ベルト１１１への転写位置と、感光体１０８Ｍ、１０８Ｃ及び１０８Ｂｋの中間転写ベルト１１１への転写位置との距離と、中間転写ベルト１１１の搬送速度とに基づき決定される。
【００１７】
画像２７１は、画像２７０と同じ解像度モードである。この場合、画像２７１の画像形成に対する各設定は、画像２７０を形成するためのＰＷＭ信号２２１Ｙの終了タイミング２６０Ｙで行う。つまり、画像２７０を形成するためのＰＷＭ信号２２１Ｍ、２２１Ｃ及び２２１Ｋの出力完了前に行う。これは、同じ解像度モードであるため、画像クロックの切り替え等、形成する画像に影響を与える設定変更が必要ないからである。
【００１８】
一方、通常解像度モードで形成するテスト画像や、テスト画像の次に形成する画像２７３に対する設定は、１つ前の画像２７１やテスト画像の形成のためのＰＷＭ信号２２１Ｋの出力完了タイミング２６１Ｋや２６２Ｋで行う。つまり、１つ前の画像形成のための総てのＰＷＭ信号２２１の出力完了タイミングで設定を行う。これは、解像度の切り替えに画像クロックの切り替えを伴うため、ＰＷＭ信号２２１の出力途中で設定変更を行えないからである。したがって、解像度を切り替えると、切り替えを行わない場合と比較して、図４の期間２８１及び２８２に示す処理遅延が生じる。本実施形態は、この様な処理遅延を抑えるために、高解像度モードに従って複数の画像を連続して形成している間にテスト画像を形成する場合、通常解像度モードへの切り替えを行わずにテスト画像を形成する。なお、テスト画像は、例えば、画像形成部１０１により形成される画像の最大濃度を調整するための画像形成条件を決定するために形成される測定用画像とする。なお、画像形成条件は、例えば、走査部１０７からのレーザ光の強度である。なお、画像形成条件は帯電器１０９により帯電された感光体１０８の表面電位を変更するために帯電器１０９に供給される帯電バイアスでもよい。また、画像形成条件は現像器１１０に印加される現像バイアスでもよい。
【００１９】
図５は、本実施形態による中央画像処理部１３３での画像形成処理のフローチャートである。ＣＰＵ２００は、Ｓ３００で、解像度モードの切り替えが必要かどうかを判定する。具体的には、１つ前の画像形成における解像度と今回の画像形成の解像度が異なると、ＣＰＵ２００は、解像度モードの切り替えが必要であると判定する。解像度モードの切り替えが必要であると、ＣＰＵ２００は、Ｓ３０１において、解像度に合わせた画像クロックに切り替えることを含む、解像度モードの切り替え処理を行う。一方、解像度モードの切り替えが必要ではないと、Ｓ３０１の処理はスキップされる。ＣＰＵ２００は、Ｓ３０２において、画像調整処理が必要かどうかを判定する。画像調整処理が必要か否かは所定の条件を満たしたか否か、例えば、前回の調整処理からの画像形成枚数が所定数に達したか否かにより判定する。画像調整処理が必要であると、ＣＰＵ２００は、Ｓ３０４において、画像調整処理で形成するテスト画像に対応するテスト画像データを取得する。なお、テスト画像データは、例えば、予めＲＯＭ２０１に記憶されている。一方、画像調整処理を行うタイミングではないと、ＣＰＵ２００は、Ｓ３０３で、読取部１００又は外部インタフェース２０６から取得した画像データを取り込み、ＲＡＭ２０２に記憶する。
【００２０】
ＣＰＵ２００は、Ｓ３０５において、Ｓ３０３又はＳ３０４で取得した画像データ又はテスト画像データに対するフィルタ処理を行う。なお、Ｓ３０５で行うフィルタ処理の詳細は後述する。ＣＰＵ２００は、Ｓ３０６において、ルックアップテーブルに従いフィルタ処理後の画像データの濃度変換を行い、Ｓ３０７において、解像度モードが高解像度モードであるか否かを判定する。高解像度モードであると、ＣＰＵ２００は、Ｓ３０８において、濃度変換後の画像データの間引き処理を行う。本実施形態での間引き処理は、１２００ｄｐｉ×１２００ｄｐｉの画素の情報から副走査方向において１画素おきに、走査線の画素を間引く、つまり、削除する処理である。これによって、主走査方向に１２００ｄｐｉ、且つ、副走査方向に６００ｄｐｉの画素から構成される画像データが生成される。本実施形態では、偶数行の画素を間引きくものとするが、例えば、奇数行の画素を間引く構成であってもよい。なお、解像度モードが通常解像度モードであると、Ｓ３０８の処理はスキップされる。ＣＰＵ２００は、Ｓ３０９において、フィルタ処理後かつ濃度変換後の画像データをＰＷＭ回路２２０に出力し、これにより各走査部１０７にＰＷＭ信号が入力され画像形成が行われる。
【００２１】
図６は、図５のＳ３０１の解像度モード切り替え処理のフローチャートである。ＣＰＵ２００は、Ｓ４００において、ＰＷＭ回路２２０が、１つ前の画像形成のためのＰＷＭ信号の総てを出力し終えるまで待機する。総てのＰＷＭ信号の出力が完了すると、ＣＰＵ２００は、Ｓ４０１で、ＰＷＭ回路２２０のＰＷＭ信号の出力をマスク、つまり、停止する。ＣＰＵ２００は、Ｓ４０２において、解像度モードに応じた画像クロックへの切り替えを行う。具体的には、通常解像度モードから高解像度モードに切り替える場合には画像クロックを２倍にし、高解像度モードから通常解像度に切り替える場合には画像クロックを１／２倍にする。ＣＰＵ２００は、Ｓ４０３で、ＰＷＭ回路２２０の設定を解像度モードに応じた設定に切り替える。具体的には、高解像度モードでは通常解像度モードと比べ倍の分解能が求められることからＰＷＭ信号のためのクロックを通常解像度モードの２倍にする。ＣＰＵ２００は、Ｓ４０４において、Ｓ４０１でマスクしたＰＷＭ信号の出力マスクを解除する。
【００２２】
図７は、図５のＳ３０５で行うフィルタ処理のフローチャートである。ＣＰＵ２００は、Ｓ４１０で、高解像度モードでの記録材への画像形成であるか否かを判定する。高解像度モードでの記録材への画像形成であると、ＣＰＵ２００は、Ｓ４１１で濃度保存フィルタを選択する。一方、通常解像モードでの記録材への画像形成や、テスト画像の形成である場合、ＣＰＵは、Ｓ４１２で通常フィルタを選択する。ＣＰＵ２００は、Ｓ４１３において、Ｓ４１１又はＳ４１２で選択したフィルタによるフィルタ処理を行う。
【００２３】
図８（Ａ）は、濃度保存フィルタの例を示し、図８（Ｂ）は、通常フィルタの例を示している。なお、図８（Ａ）及び（Ｂ）において、横方向が主走査方向に対応し、上下方向が副走査方向に対応し、中央の値が注目画素に対応するフィルタ係数を示している。Ｓ４１３でのフィルタ処理は、濃度変換後の注目画素の画素値及びその周囲の８画素の画素値それぞれと対応するフィルタ係数の積の、９画素総ての和を、フィルタ後の注目画素の画素値とするものである。高解像度モードでは、間引き処理（図５のＳ３０８）を行うため、図８（Ａ）に示す様に、注目画素の上下の画素に対するフィルタ係数は０ではない。つまり、濃度保存フィルタでは、フィルタ処理後の注目画素の画素値は、副走査方向において隣接する画素のフィルタ処理前の画素値に依存することになる。これは、副走査方向の画像信号値を拡散させることで副走査方向においても疑似的に高解像度の画像データを作成するためである。一方、図８（Ｂ）に示す様に、通常フィルタでは、注目画素の上下の画素に対するフィルタ係数は０である。つまり、通常フィルタでは、フィルタ処理後の注目画素の画素値は、副走査方向において隣接する画素のフィルタ処理前の画素値に依存しない。なお、記録材に通常解像度モードで画像を形成する場合に、注目画素の上下の画素に対するフィルタ係数を０とするのは、通常解像度モードでは間引き処理が不要であるからである。以下、テストパターンを形成する場合に、通常フィルタを使用する理由について説得する。
【００２４】
図９（Ａ）は、テスト画像を示している。図９（Ｂ）は、図９（Ａ）のテスト画像に対応するテスト画像データを、図８（Ａ）に示す濃度保存フィルタでフィルタ処理を行った結果を、間引きすることなく形成した場合の画像を示している。通常フィルタでは、副走査方向において隣接する画素の画素値が所定比率で配分されるためエッジ部の濃度が変化する。図９（Ｃ）は、フィルタ処理を行った結果を、間引きして実際に形成される画像を示している。間引き処理により、本例では、主走査方向に１２００ｄｐｉ、副走査方向に６００ｄｐｉの画像が形成される。しかしながら、図９（Ｃ）に示す様に、副走査方向のエッジ部が薄くなってしまう。この様に、濃度保存フィルタでフィルタ処理を行うと、目的とするテスト画像を形成できない。
【００２５】
一方、図１０は、通常フィルタでフィルタ処理を行う場合を示している。図１０（Ａ）は、図９（Ａ）と同じテスト画像である。図１０（Ｂ）は、テスト画像データを、通常フィルタでフィルタ処理を行った結果を、間引きすることなく形成した場合の画像を示している。通常フィルタでは、副走査方向に隣接する画素の画素値の影響を受けないため、エッジ部の濃度が変化することを抑えることができる。図１０（Ｃ）は、フィルタ処理を行った結果を、間引きして実際に形成される画像を示している。間引き処理により、本例では、主走査方向に１２００ｄｐｉ、副走査方向に６００ｄｐｉの画像が形成される。図１０（Ｃ）に示す様に、通常フィルタを使用してフィルタ処理を行うことで、目的とするテスト画像を形成できる。なお、本実施形態では、通常フィルタ及び濃度保存フィルタでのフィルタ後の画素値の計算式は同じであり、その係数のみを異ならせていた。しかしながら、通常フィルタと濃度保存フィルタとして異なる計算式によるフィルタを使用することができる。また、高解像度モードで記録材に画像を形成する場合には、濃度保存フィルタでフィルタ処理を行い、通常解像度モードで記録材に画像を形成する場合や、テスト画像を形成する場合には、フィルタ処理を行わない構成とすることもできる。
【００２６】
図４を用いて説明した様に、記録材に複数の画像２７０、２７１及び２７３を形成する間に調整処理を行うため、解像度モードの切り替えを行うと、期間２８１や期間２８２に示す遅延が生じる。一方、本実施形態では、図１１に示す様に、解像度モードの切り替えが不要となり、解像度モードの切り替えに伴う遅延の発生を抑えることができる。図１１においては、解像度モードの切り替えが生じないため、１つ前の画像形成のためのＰＷＭ信号２２１Ｙの出力完了時点８６０Ｙ、８６１Ｙ、８６２Ｙにおいて、次の画像形成のための設定を行うことができる。さらに、本実施形態では、テスト画像データに対しては解像度モードに拘らず通常フィルタを使用するため、高解像度モードでテスト画像を形成しても、目的とするテスト画像を形成できる。
【００２７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００２８】
１０１：画像形成部、１３３：中央画像処理部
【図１】
2018060068.tif 000003
【図２】
2018060068.tif 000004
【図３】
2018060068.tif 000005
【図４】
2018060068.tif 000006
【図５】
2018060068.tif 000007
【図６】
2018060068.tif 000008
【図７】
2018060068.tif 000009
【図８】
2018060068.tif 000010
【図９】
2018060068.tif 000011
【図１０】
2018060068.tif 000012
【図１１】
2018060068.tif 000013